(57)【要約】      （修正有）【課題】保温効果およびリラクゼーション効果の高い入浴設備用部材および入浴設備、並びに入浴剤を提供することを課題とする。【解決手段】遠赤外線を放射し、かつマイナスイオンを発生する天然石、またはその石板、球石、砕石、粉体を含有する入浴設備用部材１を用いて入浴設備２を作る。具体的には前記天然石が方解石粒子を主成分とする細粒砂岩を含有する入浴設備用部材１を用いて入浴設備２を作る。また、遠赤外線を放射し、かつマイナスイオンを発生する天然石またはその粉体を含有する入浴剤10により上記の課題を解決する。【選択図】図３
2006239233.tif 000002
【特許請求の範囲】
【請求項１】
遠赤外線を放射し、かつマイナスイオンを発生する天然石またはその粉体を含有することを特徴とする入浴設備用部材。
【請求項２】
前記天然石が方解石粒子を主成分とする細粒砂岩であることを特徴とする請求項１記載の入浴設備用部材。
【請求項３】
請求項１または２記載の入浴設備用部材を用いたことを特徴とする入浴設備。
【請求項４】
遠赤外線を放射し、かつマイナスイオンを発生する天然石の粉体を含有することを特徴とする入浴剤。
【請求項５】
前記天然石が方解石粒子を主成分とする細粒砂岩であることを特徴とする請求項４記載の入浴剤。
【発明の詳細な説明】
【技術分野】
【０００１】
本発明は、保温効果を向上させる入浴設備用部材および入浴設備、並びに入浴剤に関する。ここで、入浴設備とは、浴槽、浴室、浴室いす、洗面器、露天風呂、サウナ、岩盤浴、ベッド、更衣室等、広く入浴にかかわる設備全般を含む概念である。
【背景技術】
【０００２】
入浴や温泉浴には、体の汚れを落とすだけでなく、一日の疲れを癒し、筋肉痛やリウマチなどの治療効果があることは広く知られている。この治療効果は、入浴等により体が温まり、体内の血行が良くなった結果、得られるものである。ここで、入浴等による体温は長く保持されることが重要である。
【０００３】
また、保温効果を向上させる他の方法としては、磁気作用を利用するもの（例えば、特許文献１参照）や、浴槽内に電極を取り付けて浴槽内に微弱電流を流すもの（例えば、特許文献２参照）等が提案されている。さらに、各種入浴剤を浴槽に入れて保温効果を向上させることも多く提案されている（例えば、特許文献３参照）。
【特許文献１】特開平６−１４２１５６号
【特許文献２】特開２００４−５７６６８号
【特許文献３】特開２０００−２２９８４１号
【発明の開示】
【発明が解決しようとする課題】
【０００４】
しかしながら、磁気作用による効果を利用するものや、浴槽内に電極を取り付けて浴槽内に微弱電流を流すものは、専用の設備が必要であり高価であるうえに、得られる保温効果も人が浴槽に入った場合に限定される。また、各種入浴剤を浴槽に入れる方法は安価であるが、その得られる保温効果は人間が浴槽に入った場合に限定されるという問題があった。
【０００５】
本発明は上記の事情を考慮してなされたものであり、保温効果およびリラクゼーション効果の高い入浴設備用部材および入浴設備、並びに入浴剤を提供することを目的とする。
【課題を解決するための手段】
【０００６】
本発明の請求項１記載の入浴設備用部材は、遠赤外線を放射し、かつマイナスイオンを発生する天然石またはその粉体を含有することを特徴とするものである。
【０００７】
本発明の請求項２記載の入浴設備用部材は、請求項１記載の発明において、前記天然石が方解石粒子を主成分とする細粒砂岩であることを特徴とするものである。
【０００８】
本発明の請求項３記載の入浴設備は、請求項１または２記載の入浴設備用部材を用いたことを特徴とするものである。
【０００９】
本発明の請求項４記載の入浴剤は、遠赤外線を放射し、かつマイナスイオンを発生する天然石の粉体を含有することを特徴とするものである。
【００１０】
本発明の請求項５記載の入浴剤は、請求項４記載の発明において、前記天然石が方解石粒子を主成分とする細粒砂岩であることを特徴とするものである。
【発明の効果】
【００１１】
請求項１記載の発明によれば、入浴設備用部材から放射される遠赤外線により皮膚の表面のみならず、人体の内部にまで熱が届くため高い保温効果が得られる。また、人体が入浴設備用部材から発生するマイナスイオンを浴びることにより、いわゆるマイナスイオン効果として心身のリラックスを図かれるとともに、血行が良くなり保温効果がある。
【００１２】
請求項２記載の発明によれば、前記請求項１記載の発明の効果がより一層高くなる。
【００１３】
請求項３記載の発明によれば、遠赤外線の放射による保温効果、マイナスイオン効果による保温効果に加えて、天然石またはその粉体からのミネラルの溶出により水がアルカリ性を示すようになり、入浴設備から出た後の人体の皮膚に被膜を形成して熱が逃げにくくなるため、より一層高い保温効果が得られる。
【００１４】
請求項４または５記載の発明によれば、遠赤外線の放射による保温効果、マイナスイオン効果よる保温効果、さらに、天然石またはその粉体からのミネラルの溶出による保温効果が、簡易な手段で得ることができる。
【発明を実施するための最良の形態】
【００１５】
先ず、本発明の入浴設備用部材および入浴剤に用いられる材料としての天然石について説明する。本発明に用いられる天然石は、遠赤外線を放射し、かつマイナスイオンを発生することが重要である。このような天然石として方解石や、石英片岩、貴陽石、角閃石などを挙げることができる。具体的には主として中国から輸入され、正宗神石またはアクアパウダーストーンと称して販売されている。
【００１６】
本発明者は、上記の課題を解決すべく、種々の実験検討を重ねた結果、特に、方解石粒子を主成分とする細粒砂岩が、本発明に用いる材料として最適であることを見出した。本発明に用いる細粒砂岩について、蛍光Ｘ線分析をした結果を表１に示す。この細粒砂岩は、２３．０濃度％のＣａ、３．７濃度％のＦｅ、３．７濃度％のＫ、０．３濃度％のＴｉ、０．１濃度％のＭｎ、６９．２濃度％のＳｉを含有する。蛍光Ｘ線分析は、セイコーインスツルメンツ社製ＳＥＡ２０１０により行い、粉末試料１．０ｇを粉末用容器に入れ、大気条件下で電圧１５ｋＶおよび５０ｋＶで１００秒ずつ測定した。
【００１７】
【表１】
2006239233.tif 000003
【００１８】
図１は、細粒砂岩の遠赤外線についての分光放射率および分光放射発散度の測定結果を示すものである。横軸は（ａ）（ｂ）とも波長を示している。また、縦軸は（ａ）については分光放射率を、（ｂ）については分光放射発散度を示している。これらの図から、細粒砂岩の遠赤外線放射率は、１８４℃での黒体からの放射と比較して約０．８前後であり、高い放射率を有していることが分かる。
【００１９】
図２は、細粒砂岩のマイナスイオン測定結果を示すものである。（ａ）はリファレンスとして試料を静置した状態のデータを示し、（ｂ）は試料に摩擦（振動）を与えた状態のデータを示している。（ａ）（ｂ）とも、横軸は時間を表し、縦軸は空気１ｃｃあたりのイオン個数を表している。測定は、フィーサ社製エアーカウンターＦＩＣ−２０００を用い、空気吸入口（直径６．３ｃｍの円形）を縦面の中央部分に開けた縦３０ｃｍ×横２０ｃｍ×高さ２２ｃｍのアクリルの測定用ボックスの内側で行なった。リファレンスとして試料を静置状態で測定した後、試料に摩擦（振動）を与え、試料からのマイナスイオンを測定した。細粒砂岩は（ａ）に示すように静置状態においても平均８８個／ｃｃ程度のマイナスイオンを発生し、摩擦を与えた状態においては約１０００個／ｃｃのマイナスイオンを発生することが分かる。
【００２０】
以下、本発明における好ましい実施例について、図面を参照しながら説明する。
【実施例１】
【００２１】
図３（ａ）は、本発明の実施例１として方解石粒子を主成分とする細粒砂岩を含有する入浴設備用部材１を用いた入浴設備２を示す。本実施例では、天然石としての細粒砂岩を平板状または半円柱板状にしたものを浴室の床面３および壁面９に用いている。また、浴槽４にも、天然石としての細粒砂岩そのものを用いている。ただし、浴室の床面３等の構成材料として天然石の細粒砂岩そのものを用いる必要はない。また、浴槽４や床面３のタイルには、細粒砂岩を微細粉末としたものを熱可塑性樹脂に含有させて成形したものを用いてもよい。
【００２２】
図３（ｂ）は、細粒砂岩を含有する入浴設備用部材１を用いた岩盤浴設備５を示している。岩盤浴は、床面３に備えられた岩盤６、または岩盤６の代わりに細粒砂岩の球石、石板、石粉、砕石を含有する入浴設備用部材１を配設した上に人間が横たわり、岩盤６等から発せられる熱により人体を温めるものである。伝統的な入浴設備とは異なり、お湯を媒体として人体を温めるものではない。また、後述するサウナとも異なり、スチームを使用することもない。岩盤浴設備５の床面３には人間一人が横たわることができる程度の広さを有する細粒砂岩を含有する入浴設備用部材１たる岩盤６等が備えられている。
【００２３】
図３（ｃ）は、細粒砂岩を含有する入浴設備用部材１を用いたサウナ設備７を示している。サウナ室の内部には腰掛用の段８が備えられており、前記段８には、細粒砂岩を含有する入浴設備用部材１が用いられている。また、必要に応じて床面３や壁面９にも細粒砂岩を含有する入浴設備用部材１を用いることができる。
【００２４】
次に、上記実施例による効果を図４に示すサーモグラフデータに基づいて説明する。図４中、（ａ）は浴室に入る前の被験者の体温の変化をサーモグラフィーで測定したデータである。そして、図４中、（ｂ１）〜（ｂ３）は、本発明を適用しない通常の風呂に５分間入浴した後の体温の変化をサーモグラフィーで測定したデータであり、（ｂ１）は風呂から出た直後、（ｂ２）は８分後、（ｂ３）は１６分後のものである。また、図４中、（ｃ１）〜（ｃ３）は、本発明を適用した図３（ａ）に示す風呂に５分間入浴した後の体温の変化をサーモグラフィーで測定したデータであり、（ｃ１）は風呂から出た直後、（ｃ２）は８分後、（ｃ３）は１６分後のものである。通常の風呂に入浴した場合、（ｂ１）に示すように入浴直後の人体表面温度は高いが、時間の経過とともに急速に体温は低下する。（ｂ３）に示すように風呂から出て１６分経過した後では、（ａ）に示す入浴前の体温に近い状態になる。一方、本発明を適用した図３（ａ）に示す風呂に入浴した場合、（ｃ１）に示すように入浴直後の人体表面温度は低いが、時間が経過しても体温の低下度合いは緩やかである。（ｃ３）に示すように風呂から出て１６分経過した後でも体温はほとんど低下していない。細粒砂岩を含有する入浴設備用部材１を用いた風呂に入浴した場合に体温の低下が緩やかになるのは、遠赤外線による保温効果およびマイナスイオンを被験者が浴びることにより、心身のリラックスを図かれるとともに、血行が良くなり体温の定価が抑制されるものと考えられる。
【００２５】
表２は、細粒砂岩を水中に置いた場合の溶出するイオン成分をイオンクロマトグラフ法により分析した結果を示す。各成分とも濃度の単位は、ｍｇ／ｌ である。
【００２６】
【表２】
2006239233.tif 000004
【００２７】
以下、分析方法について簡単に説明する。細粒砂岩粉末試験体を１１５℃で３時間乾燥後、１．０ｇを精製水１００ｍｌに入れ、６０分間２０℃の恒温槽中に静置した。６０分後精製水をメンブランフィルターでろ過して測定用の試料とした。陽イオン分析はＭｅｔｒｏｈｍ社製ノンサプレサー方式のイオンクロマトグラフ７９２ＢａｓｉｃＩＣ、カラムは昭和電工社製ＳｈｏｄｅｘＹ−４２１、溶離液３ｍｍｏｌ／ｌ 、流速１．０ｍｌ／ｍｉｎで測定し、陰イオン分析はＤｉｏｎｅｘ社製イオンクロマトグラフＤＸ−３０、カラムはＤｉｏｎｅｘ社製Ｉｏｎ−Ｐａｃ  ＡＳ−１２Ａ、溶離液１７ｍｍｏｌ／ｌ 炭酸ナトリウム＋１．８ｍｍｏｌ／ｌ 炭酸ナトリウム溶液、流速１．０ｍｌ／ｍｉｎ、サプレッサーはＡＥＳで測定した。
【００２８】
細粒砂岩から多く溶出したイオンはカルシウムであり、蛍光Ｘ線分析による成分分析の結果（表１）をよく反映している。その他、ナトリウム、カリウム、マグネシウムのようなミネラルが溶出した。カルシウムは炭酸カルシウムとして存在し、溶出液はアルカリ性を示す。これらの結果より、細粒砂岩を含有する入浴設備用部材１で作られた浴槽２においては、遠赤外線による保温効果とマイナスイオン効果に加えて、ミネラルが溶出することにより浴槽２内のお湯がアルカリ性を示し、浴槽２から出た後の人体の皮膚に被膜を形成し熱を逃がしにくくする保温効果があることが分る。
【００２９】
図５に細粒砂岩を水中に置いた場合の塩素除去効果の評価結果を示す。細粒砂岩粉末試験体を１１５℃で３時間乾燥後、１．０ｇを残留塩素濃度が１．０ｍｇ／ｌ となるように調整した次亜塩素酸ナトリウム溶液１００ｍｌに入れ、２０℃の恒温槽中に静置した。そして、５分後、１０分後、３０分後、６０分後の各残留塩素濃度をＨＡＣＨ社製Ｐｏｃｋｔ  Ｃｈｌｏｒｉｍｅｔｅｒ４６７００−００を用いて測定した。細粒砂岩のないリファレンスの残留塩素濃度の減少が緩やかであるのに比較して、細粒砂岩を含有するサンプルの場合は、初期濃度約０．９ｍｇ／ｌを５分間で半分以下まで減少させることが可能であり、残留塩素の低減効果が確認された。残留塩素はカルキ臭がするだけでなく、浴槽内において皮膚へのピリピリ感の原因となるため、細粒砂岩を含有する浴槽用部材１を使用した場合には皮膚への刺激を低減することができる。
【００３０】
また、水質がアルカリ性となるため皮膚・角質の柔軟性を高める効果がある。
【実施例２】
【００３１】
図６は、本発明の実施例２として方解石粒子を主成分とする細粒砂岩の微細粉末を含有させた入浴剤10の使用例を示す。入浴剤10は微細粉末の細粒砂岩を含むことから、入浴直前に温水に投入してもある程度の効果は得られるが、入浴の３０分程度前に投入しておく方がより効果的である。その理由は細粒砂岩に含まれるミネラル成分が温水中に溶け出すには多少なりとも時間を要するからである。
【００３２】
細粒砂岩の微細粉末を含む入浴剤10を浴槽２に投入した場合にも、遠赤外線およびマイナスイオン、並びにミネラルの存在による保温効果とともに、皮膚への刺激を低減する効果が得られる。さらに、水質がアルカリ性となるため皮膚や角質に柔軟性を与える効果がある。
【００３３】
ここで、図６に示す浴槽２にも細粒砂岩の石粉等を含有する入浴設備用部材１を用いることができる。すなわち、浴槽２の主材料としてのＦＲＰや樹脂に細粒砂岩の石粉等を含有する入浴設備用部材１を混ぜて浴槽２を成形することができる。このようにすると、実施例１に述べた効果も合わせて期待できる。
【実施例３】
【００３４】
図７は、本発明の実施例３として、入浴設備に必要な他の道具に方解石粒子を主成分とする細粒砂岩を含有する入浴設備用部材１を用いたものである。具体的には、入浴設備の一部を構成する更衣室11の衣類棚12と下駄箱13に細粒砂岩の微細粉末を含有する入浴設備用部材１を用いたものを示す。本実施例によれば、遠赤外線およびマイナスイオンの効果により保温効果が得られる。
【００３５】
図８に細粒砂岩のホルムアルデヒドの除去効果評価結果を、図９にイソ吉草酸の除去効果評価結果を示す。細粒砂岩粉末試験体を１１５℃で３時間乾燥後、各試験体ガス（ホルムアルデヒド、イソ吉草酸）を調整した５ｌのテドラーバック中に１．０ｇを入れ、１時間後、３時間後、５時間後、８時間後、そして、２４時間後のガス濃度を測定した。ホルムアルデヒド濃度測定はＪＭＳ社製ホルムアルデメータ４００を用いて測定し、イソ吉草酸濃度測定には光明理化学工業社製北川式ガスＡＰ−１と北川式ガス検知管２１６Ｓを用いた。
【００３６】
図８において横軸は経過時間を、縦軸はホルムアルデヒドの濃度を示している。約５時間経過後にはホルムアルデヒドの濃度は半減しており、細粒砂岩がホルムアルデヒドの除去効果を有することが分る。ホルムアルデヒドはシックハウス症候群や化学物質過敏症の主な原因物質であると言われており、更衣室11の衣類棚12等に本発明による入浴設備部材１を用いることにより、シックハウス症候群や化学物質過敏症の対策とすることができる。
【００３７】
図９において横軸は経過時間を、縦軸はイソ吉草酸の濃度を示している。初期濃度約４０ｐｐｍが、わずか１時間後には５ｐｐｍ程度にまで低減している。細粒砂岩がイソ吉草酸の除去に極めて効果的であることが分る。イソ吉草酸は脂肪酸であり人の体臭の原因物質と知られており、特に、靴や下駄箱の悪臭の成分でもあることから、本実施例のように細粒砂岩を含有する入浴設備用部材１を下駄箱13に適用すると、靴等から発する悪臭の脱臭効果も得られる。
【実施例４】
【００３８】
図１０は、本発明の実施例４として細粒砂岩の球石、砕石、石板、石粉等からなる入浴設備部材１を用いたベッド14を示している。このベッド14は、実施例１において説明した岩盤浴設備５の床面に設置されたものに類似するが、岩盤浴設備５の一部として用いられるものではなく、住宅のリビングルーム等において用いることができるという利点がある。
【００３９】
以上、本発明を実施例に基づいて説明したが、本発明は上記した実施例に限定されるものではなく、種々の変形実施をすることができる。例えば上記実施例では、浴室の床材や浴槽材料として本発明による入浴設備部材１を用いた例を挙げて説明をしたが、浴室の天井板材や壁材についても本発明による入浴設備部材１を用いることができる。
【図面の簡単な説明】
【００４０】
【図１】細粒砂岩の遠赤外線放射率、および放射量の測定結果を示す特性図である。
【図２】細粒砂岩のマイナスイオン測定結果を示す特性図である。
【図３】本発明の実施例１を示す斜視図であり、（ａ）は入浴設備、（ｂ）は岩盤浴設備、（ｃ）はサウナ室を示す。
【図４】同上、体温変化のサーモグラフィーデータを示す温度分布図である。
【図５】細粒砂岩を水中に置いた場合の塩素除去効果を示す特性図である。
【図６】本発明の実施例２を示す断面図である。
【図７】本発明の実施例３を示す斜視図である。
【図８】細粒砂岩によるホルムアルデヒドの除去効果を示す特性図である。
【図９】細粒砂岩によるイソ吉草酸の除去効果を示す特性図である。
【図１０】本発明の実施例４を示す斜視図である。
【符号の説明】
【００４１】
１  入浴設備用部材
２  入浴設備（浴槽、岩盤浴設備、サウナ設備）
10  入浴剤
【図１】
2006239233.tif 000005
【図２】
2006239233.tif 000006
【図３】
2006239233.tif 000007
【図５】
2006239233.tif 000008
【図６】
2006239233.tif 000009
【図７】
2006239233.tif 000010
【図８】
2006239233.tif 000011
【図９】
2006239233.tif 000012
【図１０】
2006239233.tif 000013
【図４】
2006239233.tif 000014